(57)【要約】【課題】吐出装置を、特に噴霧パターン向上を考慮して改良する。【解決手段】流動性物質用吐出装置において、物質を吐出するための吐出口（２２）をその一端に設けられた吐出スリーブ（２０）と、この吐出スリーブ（２０）内に設けられる閉鎖ピン（３０）とを有する。閉鎖ピンが吐出スリーブ（２０）に対して相対的に長手移動可能であり、またこの閉鎖ピンによって吐出口（２２）が閉鎖可能である。閉鎖ピン（３０）が外方を向く円筒形部分区域（３０ａ）を有し、吐出スリーブ（２０）が内方を向く円筒形部分区域（２０ａ）を有し、円筒形部分区域（２０ａ、３０ａ）が止まり嵌めまたは狭い隙間嵌めを形成し、圧力を低下させおよび／または物質流を減らす作用幾何学形状（３４）が閉鎖ピン（３０）および／または吐出スリーブ（２０）の円筒形部分区域（２０ａ、３０ａ）に設けられている。【選択図】図２
2007245142.tif 000002
【特許請求の範囲】
【請求項１】
流動性物質用吐出装置であって、
‐物質を吐出するための吐出口（２２）をその一端に設けられた吐出スリーブ（２０）と、
‐この吐出スリーブ（２０）内に設けられる閉鎖ピン（３０）とを有し、この閉鎖ピンが吐出スリーブ（２０）に対して相対的に長手移動可能であり、またこの閉鎖ピンによって吐出口（２２）が閉鎖可能であり、
閉鎖ピン（３０）が外方を向く円筒形部分区域（３０ａ）を有し、吐出スリーブ（２０）が内方を向く円筒形部分区域（２０ａ）を有し、円筒形部分区域（２０ａ、３０ａ）が止まり嵌めまたは狭い隙間嵌めを形成し、圧力を低下させおよび／または物質流を減らす作用幾何学形状（３４）が閉鎖ピン（３０）および／または吐出スリーブ（２０）の円筒形部分区域（２０ａ、３０ａ）に設けられていることを特徴とする吐出装置。
【請求項２】
閉鎖ピン（３０）は、吐出装置のポンプ装置ポンプ室内の物質の液体圧力に依存して長手移動可能であり、かつ物質の液体圧力が確定された限界圧力以下であるとき吐出口（２２）を閉鎖することを特徴とする、請求項１記載の吐出装置。
【請求項３】
閉鎖ピン（３０）および／または吐出スリーブ（２０）の円筒形部分区域（２０ａ、３０ａ）に少なくとも１つの物質通路（３４）が設けられていることを特徴とする、請求項１または２記載の吐出装置。
【請求項４】
物質通路（３４）が螺旋状に延びていることを特徴とする、請求項３記載の吐出装置。
【請求項５】
閉鎖ピン（３０）が、内部圧力によって操作可能な加圧皿体（４０）と作用結合されており、閉鎖ピン（３０）が加圧皿体（４０）と主に一体に構成されていることを特徴とする、先行請求項のいずれか１項記載の吐出装置。
【請求項６】
加圧皿体（４０）の加圧皿体面積が吐出口（２２）の面積に比べて少なくとも５倍、主に１０倍大きいことを特徴とする、請求項５記載の吐出装置。
【請求項７】
加圧皿体（４０）が、少なくとも部分的に、主に１ｋＮ／ｍｍ２以下の弾性率、特に０．５ｋＮ／ｍｍ２以下の弾性率を有する弾性材料からなることを特徴とする、請求項５または６記載の吐出装置。
【発明の詳細な説明】
【技術分野】
【０００１】
本発明は、流動性物質用吐出装置であって、物質を吐出するための吐出口をその一端に設けられた吐出スリーブと、この吐出スリーブ内に設けられる閉鎖ピンとを有し、この閉鎖ピンが吐出スリーブに対して相対的に長手移動可能であり、またこの閉鎖ピンによって吐出口が閉鎖可能であるものに関する。
【背景技術】
【０００２】
このような造形を有する吐出装置は知られている。それらでは欠点として、大抵の場合、閉鎖ピンが吐出口を開放する前に吐出スリーブの内部に高い物質圧力が加わる。開口時にこの圧力が噴流を生じ、応用目的によってはこの噴流は避けねばならない。
【発明の開示】
【発明が解決しようとする課題】
【０００３】
本発明の課題は、技術の現状から知られている吐出装置を、特に噴霧パターン向上を考慮して改良することである。
【課題を解決するための手段】
【０００４】
この課題は、閉鎖ピンが外方を向く円筒形部分区域を有し、吐出スリーブが内方を向く円筒形部分区域を有し、円筒形部分区域が止まり嵌めまたは狭い隙間嵌めを形成し、圧力を低下させおよび／または物質流を減らす作用幾何学形状が閉鎖ピンおよび／または吐出スリーブの円筒形部分区域に設けられてなる吐出装置によって解決される。
【発明の実施の形態】
【０００５】
作用幾何学形状は特に、物質を貫流させねばならない小さな横断面を有する構成によって達成される。これにより作用幾何学形状は液体流を限定する。このことは特に目に投与する物質の場合に重要である。というのも、この応用の場合大量の液体流に起因した強い噴流は望ましくないからである。本発明により設けられる作用幾何学形状は液体流を減らすための有利で設計上簡単な解決である。これは特に、物質圧力に依存してその吐出口が開口される吐出装置において有利である。物質流を減らす幾何学形状にディフューザが続き、高まった圧力がディフューザ内で再び下げられると特別有利である。
【０００６】
例えば軸線方向位置変化によってそれらの距離がやはり変化する円錐形部分区域の場合に生じるであろうような閉鎖ピンと吐出スリーブとの相対位置に作用幾何学形状の働きが依存しないことは、円筒形部分区域を有する構成によって達成される。
【０００７】
本発明の１展開において閉鎖ピンは、吐出装置のポンプ装置ポンプ室内の物質の液体圧力に依存して長手移動可能であり、かつ物質の液体圧力が確定された限界圧力以下であるとき吐出口を閉鎖する。圧力に依存したこの種の閉鎖ピン制御において本発明による構成は特別有意義である。というのも、閉鎖ピンの相対移動用に必要な高い圧力は問題を孕んだ噴霧パータンの虞を高めるからである。
【０００８】
本発明の１展開において、閉鎖ピンおよび／または吐出スリーブの円筒形部分区域に少なくとも１つの物質通路が設けられている。このような物質通路は作用幾何学形状のごく単純な形状である。物質通路は主に閉鎖ピンの円筒形部分区域に設けられている。というのもその場合、製造時の離型は一層容易に実現できるからである。最も単純な場合、物質通路は軸線方向で閉鎖ピンの移動方向と平行に延びている。
【０００９】
特別好ましい１実施形態において物質通路は螺旋状に延びている。このように延びていると２つの利点が得られる。一方でこれにより、円筒形部分区域が短いにもかかわらず長い物質通路が実現可能である。他方で、接線方向成分のある流出方向を有する物質通路は流出口の前に続く室と協動して、流出口から流出時に圧力と速度を低下させるディフューザの働きを同時に有する。
【００１０】
本発明の好ましい１展開において閉鎖ピンは内部圧力によって操作可能な加圧皿体と作用結合されており、閉鎖ピンは加圧皿体と主に一体に構成されている。このような加圧皿体は、一方で物質圧力が低いときにのみ閉鎖ピンを移動させ、強いばね力で閉鎖ピンに閉鎖方向への力を加えるという相矛盾する目的を達成することを可能にする。加圧皿体はその大きな面積によって、ばね力に対抗する開口力が僅かな圧力によって既に達成されることをもたらす。そのことも、物質吐出の向上に役立つ。この目的のために加圧皿体面積は吐出口の面積に比べて主に少なくとも５倍、主に１０倍大きい。
【００１１】
特別好ましくは、加圧皿体が少なくとも部分的に弾性材料からなり、主に１ｋＮ／ｍｍ２以下の弾性率、特に０．５ｋＮ／ｍｍ２以下の弾性率を有する材料からなる。この弾性率は、物質圧力の短い圧力ピークが加圧皿体によって受け止められることをもたらす。そのことから、吐出装置の開口挙動向上がもたらされる。特に本発明による作用幾何学形状と弾性加圧皿体との組合せは、有利な噴霧パターンを保証するのにきわめて適していることが実証された。
【００１２】
本発明のその他の利点および特徴は特許請求の範囲と、図面に示す本発明の好ましい実施例についての以下の説明とから明らかとなる。
【実施例】
【００１３】
図１と図２は本発明による吐出装置の１区域１０を部分断面斜視図と部分断面側面図とで示す。
【００１４】
この区域１０は、図示実施形態において吐出装置の残りは図示されていないハウジングと一体に構成される吐出スリーブ２０とこの吐出スリーブ２０内に配置される閉鎖ピン３０とを含み、一体に成形された加圧皿体４０が閉鎖ピンの下端に続いている。
【００１５】
吐出スリーブ２０がその上端に吐出口２２を有し、吐出装置の使用時この吐出口を通して物質は逃げることができる。この吐出口２２は、吐出装置非操作状態のとき、閉鎖ピン３０の上端に配置される密封区域３２によって閉鎖されている。閉鎖力は図示しない弁ばねによって加えられ、この弁ばねは閉鎖ピン３０と加圧皿体４０とからなるユニットを一緒に上方に方向２に加圧する。
【００１６】
詳しくは図示しない手段、特にポンプによって吐出スリーブ２０と閉鎖ピン３０および加圧皿体４０からなるユニットとの間の空隙５０内の圧力を高めることによって、吐出過程は引き起こされる。この高められた圧力は部分領域５０ａ内で加圧皿体４０に作用し、加圧皿体４０の比較的大きな面積のゆえに、僅かに高まった圧力が、方向２とは逆方向でかなりの開口力を既に引き起こす。この開口力は吐出スリーブ２０に対して相対的に閉鎖ピン３０の相対移動およびそれとともに吐出口２２の開口を引き起こす。
【００１７】
領域６０内に吐出スリーブ２０と閉鎖ピン３０は互いに適合した円筒形部分区域２０ａ、３０ａを有する。閉鎖ピン３０の円筒形部分区域３０ａの外径と吐出スリーブ２０の円筒形部分区域２０ａの内径は狭い隙間嵌めを形成する。閉鎖ピン３０の円筒形部分区域３０ａに螺旋状溝３４が設けられており、この溝は逃げる物質用の通路３４を形成する。狭い隙間嵌めのゆえに、物質にはこの溝３４を通してのみ空隙５０から吐出口２２へと到達することが可能である。
【００１８】
吐出装置が操作されると閉鎖ピン３０は図１、図２に詳しくは図示しない仕方で、物質の高まった液体圧力によって方向２とは逆に吐出スリーブ２０に対して相対的に移動され、吐出口２２は閉鎖ピン３０の上端で密封区域３２から開放される。圧力を受けた物質は次に溝３４を通して、開口した吐出口２２にまで達し、溝は絞り弁の態様で物質の液体流を減らす。液体流は上端で溝３４から空隙５２内に逃げ、この空隙がディフューザとして働く。この空隙内で液体圧力が低下し、物質は低下した圧力で吐出口２２を通して放出される。
【００１９】
図示しない実施形態において溝は、閉鎖ピンの円筒区域にではなく吐出スリーブ側円筒区域に設けられている。さらに、別の造形、最も単純には例えば閉鎖ピンの長手方向を向いた直線状溝も可能である。
【図面の簡単な説明】
【００２０】
【図１】本発明による吐出装置を部分断面斜視図で示しており、吐出装置のうち発明上重要な部分のみが図示されている。
【図２】本発明による部分断面側面図で示しており、吐出装置のうち発明上重要な部分のみが図示されている。
【符号の説明】
【００２１】
２０  吐出スリーブ
２０ａ、３０ａ  円筒形部分区域
２２  吐出口
３０  閉鎖ピン
３２  密封区域
３４  螺旋状溝
４０  加圧皿体
５０、５２  空隙
５０ａ  部分領域
【図１】
2007245142.tif 000003
【図２】
2007245142.tif 000004